(57)【要約】【課題】  光記録媒体基板取出機において、光記録媒体基板を成形金型から取り出す際の光記録媒体基板の反りを抑制することを可能とする。【解決手段】  光記録媒体基板取出機３は、光記録媒体基板１１の基板面１１ｙを吸着する吸着部材５１と、吸着部材５１を支持する移動自在な支持部材５３とを有し、光記録媒体基板１１を成形金型から取り出すためのものであり、吸着部材５１が光記録媒体基板１１に接触した際の接触圧を緩和する接触圧緩和機構が備えられている。接触圧緩和機構として、吸着部材５１と支持部材５３とを接続し、光記録媒体基板１１の基板面１１ｙに対して交差する方向に伸縮可能な伸縮部材５２が設けられていることが好ましい。【選択図】  図３
2006139823.tif 000002
【特許請求の範囲】
【請求項１】
光記録媒体基板の基板面を吸着する吸着部材と、該吸着部材を支持する移動自在な支持部材とを有し、光記録媒体基板を成形金型から取り出すための光記録媒体基板取出機において、
前記吸着部材が前記光記録媒体基板に接触した際の接触圧を緩和する接触圧緩和機構が備えられていること特徴とする光記録媒体基板取出機。
【請求項２】
前記接触圧緩和機構として、前記吸着部材と前記支持部材とを接続し、前記光記録媒体基板の基板面に対して交差する方向に伸縮可能な伸縮部材が設けられていること特徴とする請求項１に記載の光記録媒体基板取出機。
【請求項３】
請求項１又は請求項２に記載の光記録媒体基板取出機を用いて、
樹脂が注入されて光記録媒体基板が成形される樹脂成形空間部を介在して対向配置される一組の型を備えた射出成形金型により成形された光記録媒体基板を、前記射出成形金型から取り出す光記録媒体基板の取出方法であって、
前記一組の型を離間させる工程（Ａ）と、
離間させた前記一組の型のうち一方の内面から前記光記録媒体基板を押し出す一方、前記光記録媒体基板取出機を、押し出された前記光記録媒体基板に対して前記吸着部材が密着する位置に配置して、前記吸着部材により前記光記録媒体基板を吸着する工程（Ｂ）と、
前記吸着部材により前記光記録媒体基板を吸着した状態で、前記光記録媒体基板取出機の前記支持部材を移動させ、前記光記録媒体基板を前記射出成形金型から取り出す工程（Ｃ）とを有することを特徴とする光記録媒体基板の取出方法。
【請求項４】
前記工程（Ｂ）においては、前記光記録媒体基板が押し出された側の前記型の内面から、前記光記録媒体基板に対してガスを吹き付けながら、前記光記録媒体基板に前記吸着部材を密着させることを特徴とする請求項３に記載の光記録媒体基板の取出方法。
【発明の詳細な説明】
【技術分野】
【０００１】
本発明は、光記録媒体基板を成形金型から取り出す光記録媒体基板取出機、及びこれを用いた光記録媒体基板の取出方法に関する。
【背景技術】
【０００２】
ＣＤ（Compact Disc）、ＤＶＤ（Digital Versatile Disc）、ＢＤ（Blu-ray Disc）等の光記録媒体は、情報ピットやグルーブを含む微細な表面凹凸パターンを有し、中央開口部（センターホール）が形成された樹脂製の光記録媒体基板の表面に、少なくとも記録層が積層された構造を有する。
【０００３】
図４（ａ）に概略を示す如く、従来、光記録媒体基板２００は、樹脂が注入されて光記録媒体基板が成形される樹脂成形空間部（図示略）を介在して対向配置される固定型１１０と可動型１２０とからなり、可動型１２０に光記録媒体基板２００を押し出すイジェクタ１２１が備えられた成形金型を用いて、成形されている（特許文献１参照）。
【０００４】
光記録媒体基板２００の成形金型からの取出しは、同図に示す如く、可動型１２０を固定型１１０から離間させて、イジェクタ１２１により光記録媒体基板２００を押し出し、取出機１３０により、押し出された光記録媒体基板２００を吸着し、この状態で取出機１３０を成形金型の外部に移動させることで、実施されている（特許文献２、３参照）。
【０００５】
従来、取出機１３０としては、吸着パッド等からなる吸着部材１３１と、吸着部材１３１の吸着面に対して平行な板状部材からなり、吸着部材１３１を吸着面と反対側から支持する、少なくとも図示上下方向に移動自在な支持部材１３２と、吸着部材１３１と支持部材１３２とを接続する接続部材１３３とを有し、これら部材１３１〜１３３の内部に、光記録媒体基板２００をエア吸引により吸着するエア吸引機構が設けられたものが、広く用いられている（特許文献２、３参照）。
【０００６】
図４（ａ）は光記録媒体基板の取出工程の途中段階を示すもので、取出機を成形金型内に挿入した状態を示す側面図である。
【特許文献１】特開平９−１６４５６２号公報
【特許文献２】特開平６−１９８６８６号公報
【特許文献３】特開平７−５２２０６号公報
【発明の開示】
【発明が解決しようとする課題】
【０００７】
上記従来技術では、図４（ａ）に示した如く、光記録媒体基板２００のイジェクタ１２１の接触部分より外側部分が可動型１２０の内面から浮いた状態で、光記録媒体基板２００の取出しが行われる。また、光記録媒体基板２００を確実に吸着するため、光記録媒体基板２００に取出機１３０を押し付けて、取出機１３０を光記録媒体基板２００に密着させている。そのため、図４（ｂ）に拡大して示す如く、取出機１３０を光記録媒体基板２００に密着させる際には、光記録媒体基板２００の可動型１２０から浮いた部分が、イジェクタ１２１の接触部分に対して水平な位置Ｐより可動型１２０側に反りやすい。
【０００８】
取出機による光記録媒体基板の押圧時間は短いものであるが、光記録媒体基板の反りが完全には元に戻らず、製造される光記録媒体基板のいわゆるタンジェントティルト（Ｔ−ＴＩＬＴ）が大きくなる恐れがある。このことは、光記録媒体の記録再生精度に影響を及ぼす恐れがある。
【０００９】
本発明はかかる事情に鑑みてなされたものであり、光記録媒体基板を成形金型から取り出す際の光記録媒体基板の反りを抑制することが可能な光記録媒体基板取出機、及びこれを用いた光記録媒体基板の取出方法を提供することを目的とするものである。
【課題を解決するための手段】
【００１０】
本発明の光記録媒体基板取出機は、光記録媒体基板の基板面を吸着する吸着部材と、該吸着部材を支持する移動自在な支持部材とを有し、光記録媒体基板を成形金型から取り出すための光記録媒体基板取出機において、前記吸着部材が前記光記録媒体基板に接触した際の接触圧を緩和する接触圧緩和機構が備えられていること特徴とする。
【００１１】
本発明の光記録媒体基板取出機の好ましい態様としては、前記接触圧緩和機構として、前記吸着部材と前記支持部材とを接続し、前記光記録媒体基板の基板面に対して交差する方向に伸縮可能な伸縮部材が設けられたものが挙げられる。
【００１２】
本発明の光記録媒体基板の取出方法は、上記の本発明の光記録媒体基板取出機を用いて、樹脂が注入されて光記録媒体基板が成形される樹脂成形空間部を介在して対向配置される一組の型を備えた射出成形金型により成形された光記録媒体基板を、前記射出成形金型から取り出す光記録媒体基板の取出方法であって、
前記一組の型を離間させる工程（Ａ）と、離間させた前記一組の型のうち一方の内面から前記光記録媒体基板を押し出す一方、前記光記録媒体基板取出機を、押し出された前記光記録媒体基板に対して前記吸着部材が密着する位置に配置して、前記吸着部材により前記光記録媒体基板を吸着する工程（Ｂ）と、前記吸着部材により前記光記録媒体基板を吸着した状態で、前記光記録媒体基板取出機の前記支持部材を移動させ、前記光記録媒体基板を前記射出成形金型から取り出す工程（Ｃ）とを有することを特徴とする。
【００１３】
なお、前記工程（Ｂ）においては、一方の型の内面から光記録媒体基板を押し出す工程（工程（Ｂ１）と称す。）と、光記録媒体基板取出機を、押し出された光記録媒体基板に対して吸着部材が密着する位置に配置する工程（工程（Ｂ２）と称す。）は、いずれを先に実施してもよいし、同時に実施してもよい。いずれにせよ、工程（Ｂ１）と工程（Ｂ２）が共に終了した時点で、光記録媒体基板と吸着部材が密着し、光記録媒体基板は吸着部材により吸着された状態となる。
【００１４】
前記工程（Ｂ）においては、前記光記録媒体基板が押し出された側の前記型の内面から、前記光記録媒体基板に対してガスを吹き付けながら、前記光記録媒体基板に前記吸着部材を密着させることが好ましい。
【発明の効果】
【００１５】
本発明の光記録媒体基板取出機によれば、吸着部材が光記録媒体基板に接触した際の接触圧を緩和する接触圧緩和機構を備える構成としているので、光記録媒体基板を成形金型から取り出す際の光記録媒体基板の反りを抑制することが可能となる。
【発明を実施するための最良の形態】
【００１６】
本発明に係る実施形態の光記録媒体基板取出機の説明に先立ち、図面を参照し、光記録媒体の構成例、この光記録媒体を構成する光記録媒体基板を成形する成形金型の構成例、及びこの成形金型を用いた光記録媒体基板の成形方法の例について、簡単に説明する。図１は光記録媒体の厚み方向断面図であり、図２は図１に対応した成形金型の断面図である。
【００１７】
（光記録媒体）
図１に示す光記録媒体１は、一方の面に表面凹凸パターンＰを有し、中央開口部（センターホール）１１ａが形成された樹脂製の光記録媒体基板１１と、この光記録媒体基板１１の表面凹凸パターンＰ側に順次積層された光反射層１２／記録層１３／光透過性を有する保護層１４とを有してなる。
【００１８】
記録再生装置に挿入された際に、ＣＤ（Compact Disc）、ＤＶＤ（Digital Versatile Disc）等では光記録媒体基板１１側（図示下側）がチャッキング側、ＢＤ（Blu-ray Disc）等では記録層１３側（図示上側）がチャッキング側となるが、便宜上、光記録媒体基板１１の記録層１３側の面を表面１１ｘ、その反対側の面を裏面１１ｙと称す。光記録媒体基板１１の表面１１ｘにおいて、表面凹凸パターンＰは、少なくとも記録層１３等が積層される領域に形成されている。また、裏面１１ｙは鏡面となっている。
【００１９】
（成形金型）
図２に示す射出成形金型２は、樹脂が注入されて光記録媒体基板１１が成形される樹脂成形空間部４０を介在して対向配置される一組の固定型２０と可動型３０とからなる。成形される光記録媒体基板１１は、固定型２０側が裏面１１ｙ、可動型３０側が表面１１ｘとなる。固定型２０と可動型３０はいずれも、同心円状に配置された複数の部材により構成されている。
【００２０】
固定型２０には、中心側から、樹脂成形空間部４０に溶融樹脂を注入する樹脂注入孔２１ａを有するスプル２１と、後記カットパンチ３２の先端部が入り込むカットパンチ受け部２２と、光記録媒体基板１１の裏面１１ｙを形成するミラーブロック２３、２４とが、同心円状に順次配置されている。スプル２１の樹脂成形空間部４０側には、後記カットパンチ３２の先端部が入り込むカットパンチ受け空間部２５が形成されている。
【００２１】
可動型３０には、中心側から、可動型３０の内面から突出して、樹脂注入孔２１ａとカットパンチ受け空間部２５で成形された不要樹脂を押し出すイジェクトピン３１と、可動型３０の内面から突出して、樹脂成形空間部４０に注入された樹脂に中央開口部１１ａを形成するカットパンチ３２と、可動型３０の内面から突出して、成形された光記録媒体基板１１を可動型３０の内面から押し出すイジェクタ（基板押出部材）３３と、スタンパの内周側を保持するスタンパインナホルダ３５と、ミラーブロック３６とが、同心円状に順次配置されている。スタンパインナホルダ３５及びミラーブロック３６には、樹脂成形空間部４０に注入された樹脂に表面凹凸パターンＰを転写するスタンパ３７が取り付けられている。
【００２２】
ここで言う「可動型３０の内面」は、成形開始前の可動型３０の内面を意味する。図２は、イジェクトピン３１及びカットパンチ３２の一部が、可動型３０の他の構成部材より突出している状態を示しているが、成形開始前には、イジェクトピン３１及びカットパンチ３２の先端面は、スタンパ３７等と面一な位置にある。
【００２３】
イジェクタ３３とスタンパインナホルダ３５との間には間隙があり、この間隙は、ガスボンベ等のガス供給手段（図示略）に接続されており、樹脂成形空間部４０側に空気等のガスが流下するガス流路３４となっている。ガス流路３４内のガス流下はオンオフ可能であり、流量等も適宜調整できる。ガス流路３４の樹脂成形空間部４０側は開口しており、この開口部が可動型３０の内面から、成形された光記録媒体基板１１にガスを吹き付けるガス吹付口３４ａとなっている。
【００２４】
（成形方法）
射出成形金型２を用いて、以下のように成形を実施することができる。
【００２５】
はじめに、固定型２０の樹脂注入孔２１ａから樹脂成形空間部４０に溶融樹脂を注入する。樹脂成形空間部４０への樹脂注入終了後、カットパンチ３２を可動型３０の内面から突出させる。カットパンチ３２は、先端部が固定型２０のカットパンチ受け空間部２５に入り、樹脂成形空間部４０に注入された樹脂の一部が打ち抜かれ、中央開口部１１ａが形成される。
【００２６】
以上の操作を経て、光記録媒体基板１１が射出成形金型２内で成形される。
【００２７】
（光記録媒体基板取出機、取出方法）
次に、図３に基づいて、本発明に係る実施形態の光記録媒体基板取出機（以下、単に「取出機」と略記することがある。）の構造と、この取出機を用いた、上記の射出成形金型２からの光記録媒体基板１１の取出方法について説明する。図３（ａ）は図２に対応する断面図であり、図３（ｂ）は図３（ａ）の取出機の拡大断面図である。
【００２８】
図３（ａ）、（ｂ）に示す如く、本実施形態の光記録媒体基板取出機３は、吸着パッド等からなり、図示左側の面が光記録媒体基板１１を吸着する吸着面５１ａである吸着部材５１と、吸着面５１ａに対して平行な金属製等の略板状部材からなり、吸着部材５１を吸着面５１ａと反対側（図示右側）から支持する支持部材５３とを有してなる。
【００２９】
吸着部材５１は、光記録媒体基板１１の中心に対して点対称な位置に複数設けられており、すべての吸着部材５１が１個の支持部材５３により支持されている。支持部材５３は、少なくとも図示上下方向（吸着面５１ａに対して平行方向）に移動自在とされ、射出成形金型２内に挿入された際に、吸着面５１ａが可動型３０に対向するよう、吸着部材５１の向き、支持部材５３の寸法等が設計されている。
【００３０】
本実施形態では、吸着部材５１が光記録媒体基板１１に接触した際の接触圧を緩和する接触圧緩和機構が備えられている。具体的には、取出機３には、接触圧緩和機構として、吸着部材５１と支持部材５３とを接続する、伸縮可能な管状の伸縮部材５２が設けられている。伸縮部材５２は、支持部材５３より柔軟な材質、好ましくはゴム等の弾性材からなり、全体にひだが形成され、光記録媒体基板１１の裏面１１ｙ（基板面）に対して略垂直方向（図示左右方向）に伸縮可能なものである。本実施形態では、このように、吸着部材５１が伸縮部材５２を介して支持部材５３に接続されている点が、従来と大きく異なっている。
【００３１】
吸着部材５１の吸着面５１ａと反対側の端部は、伸縮部材５２の内部に嵌合されている。また、吸着部材５１の伸縮部材５２の外側に位置する部分は、伸縮部材５２側から吸着面５１ａ側に向けてテーパ状に拡径されており、吸着面５１ａが比較的大きく確保されている。支持部材５３は、板状の本体５３ａに、吸着部材５１の取付位置に合わせて、複数の接続用突起５３ｂが固設されたものである。接続用突起５３ｂの少なくとも一部は伸縮部材５２の内部に嵌合されている。
【００３２】
取出機３には、光記録媒体基板１１をエア吸引により吸着するエア吸引機構（図３（ａ）では省略）が備えられている。詳細には、管状の伸縮部材５２の内空間はエア吸引流路５５となっており、吸着部材５１、支持部材５３の内部には、このエア吸引流路５５に連通するエア吸引流路５４、５６が形成されている。支持部材５３内のエア吸引流路５６は、本体５３ａ内に形成され、図示上側が減圧ポンプ等の吸引装置（図示略）に連通する主流路５６ａと、少なくとも接続用突起５３ｂ内に形成され、主流路５６ａから分岐された分岐流路５６ｂとから構成されている。吸着部材５１内のエア吸引流路５４は吸着面５１ａにおいて開口されており、この開口部が光記録媒体基板１１を吸引する吸引口となっている。
【００３３】
以上の構成の取出機３を用いて、以下のようにして、成形された光記録媒体基板１１の取出しを実施することができる。
【００３４】
＜工程（Ａ）＞
図３（ａ）に示す如く、成形終了後、可動型３０を固定型２０から離間させる。
【００３５】
＜工程（Ｂ）＞
次に、同図に示す如く、イジェクタ３３を可動型３０の内面から突出させ、成形された光記録媒体基板１１を可動型３０の内面から押し出す（工程（Ｂ１））。
【００３６】
一方、同図に示す如く、取出機３を、イジェクタ３３により押し出された光記録媒体基板１１に対して吸着部材５１が密着する位置に配置する（工程（Ｂ２））。例えば、取出機３を、少なくとも図示上下方向に移動させて、イジェクタ３３により押し出された光記録媒体基板１１に対して、吸着部材５１が離間して対向する位置に配置し、その後さらに、取出機３を可動型３０側に平行移動させることで、取出機３を、押し出された光記録媒体基板１１に対して吸着部材５１が密着する位置に配置することができる。
【００３７】
上記の工程（Ｂ１）と工程（Ｂ２）とは、いずれを先に実施してもよいし、同時に実施してもよい。いずれにせよ、工程（Ｂ１）と工程（Ｂ２）が共に終了した時点で、光記録媒体基板１１と吸着部材５１が密着し、エア吸引機構が作用して、光記録媒体基板１１は吸着部材５１により吸着された状態となる。
【００３８】
工程（Ｂ）において、吸着部材５１が光記録媒体基板１１に接触した際には、作用反作用の原理によって、光記録媒体基板１１と取出機３の双方に対して、接触圧が働く。本実施形態では、上記した如く、光記録媒体基板１１の裏面１１ｙに対して略垂直方向に伸縮可能な伸縮部材５２を介して、吸着部材５１を支持部材５３に接続する構成としている。かかる構成では、取出機３に接触圧がかかると、伸縮部材５２が圧縮されるので、光記録媒体基板１１と吸着部材５１との接触圧が緩和される。この結果、光記録媒体基板１１の可動型３０から浮いた部分に対する押圧力が緩和され、光記録媒体基板１１の可動型３０側への反りが抑制される。
【００３９】
工程（Ｂ）においては、可動型３０のガス吹付口３４ａから、光記録媒体基板１１に対してガスを吹き付けながら、光記録媒体基板１１に吸着部材５１を密着させることが好ましい。工程（Ｂ１）と工程（Ｂ２）の順序は問わないことを述べたが、いずれの工程を先に実施するにせよ、光記録媒体基板１１と吸着部材５１が密着するタイミングは、工程（Ｂ１）と工程（Ｂ２）のうち後の工程となる。したがって、工程（Ｂ１）と工程（Ｂ２）のうち後の工程において、ガス吹付口３４ａからの光記録媒体基板１１に対するガスの吹付けを実施すればよい。
【００４０】
このように、可動型３０のガス吹付口３４ａから、光記録媒体基板１１に対してガスを吹き付けながら、光記録媒体基板１１に吸着部材５１を密着させる場合には、ガス吹付口３４ａから噴出されるガスが、光記録媒体基板１１を可動型３０と反対側（取出機３側）に押圧することとなり、光記録媒体基板１１の可動型３０側への反りが一層抑制され、好ましい。
【００４１】
＜工程（Ｃ）＞
最後に、吸着部材５１により光記録媒体基板１１を吸着した状態で、取出機３の支持部材５３を射出成形金型２の外部に移動させ、光記録媒体基板１１の射出成形金型２からの取出しが完了する。
【００４２】
本実施形態の光記録媒体基板取出機３では、光記録媒体基板１１の裏面１１ｙに対して略垂直方向に伸縮可能な伸縮部材５２（接触圧緩和機構）を介して、吸着部材５１を支持部材５３に接続する構成としている。
【００４３】
かかる構成の取出機３、及びこれを用いた光記録媒体基板１１の取出方法では、上記した如く、伸縮部材５２が接触圧を受けて圧縮されるので、光記録媒体基板１１と吸着部材５１との接触圧が緩和される。そのため、光記録媒体基板１１と吸着部材５１とを強く密着させる場合にも、光記録媒体基板１１にかかる押圧力が緩和され、光記録媒体基板１１を射出成形金型２から取り出す際の光記録媒体基板１１の可動型３０側への反りが抑制される。
【００４４】
本実施形態によれば、このように、光記録媒体基板１１の取出し時の反りが抑制されるので、タンジェントティルト（Ｔ−ＴＩＬＴ）の小さい光記録媒体基板１１を安定的に製造することが可能となる。かかる光記録媒体基板１１を用いた光記録媒体１は、記録再生精度が良好なものとなる。
【００４５】
本実施形態の取出機３は、本実施形態の取出方法に限らず用いることができるが、取出し時の光記録媒体基板の反りは、一方の型の内面から成形された光記録媒体基板を押し出し、押し出された光記録媒体基板と取出機とを密着させて、光記録媒体基板を取り出す場合に、比較的起こりやすいため、本実施形態の取出機３は、かかる場合に用いて有効である。
【００４６】
取出方法においては、可動型３０のガス吹付口３４ａから、光記録媒体基板１１に対してガスを吹き付けながら、光記録媒体基板１１に吸着部材５１を密着させることが好ましい。この場合には、上記した如く、伸縮部材５２による接触圧の緩和と、ガス吹付口３４ａから噴出されるガスによる光記録媒体基板１１の可動型３０と反対側への押圧とが相俟って、光記録媒体基板１１の可動型３０側への反りが一層抑制され、好ましい。
【００４７】
（他の態様）
本発明は、上記実施形態に限らず、本発明の趣旨を逸脱しない範囲内において、適宜設計変更可能である。
【００４８】
例えば、上記実施形態では、伸縮部材５２の伸縮方向を、光記録媒体基板１１の裏面１１ｙに対して略垂直方向としたが、本発明はこれに限定されず、伸縮部材５２の伸縮方向は、光記録媒体基板１１の裏面１１ｙに対して交差する方向であればよい。伸縮部材５２の形態も適宜設計変更できる。
【００４９】
また、接触圧緩和機構としては、光記録媒体基板１１と吸着部材５１との接触圧を緩和するものであれば、いかなる機構を採用してもよい。接触圧緩和機構の他の好適な態様としては、吸着部材５１と支持部材５３との間に、ゴム、ウレタン等の緩衝部材を介在させる等が挙げられる。
【産業上の利用可能性】
【００５０】
本発明の技術は、ＣＤ（Compact Disc）、ＤＶＤ（Digital Versatile Disc）、ＢＤ（Blu-ray Disc）等の光記録媒体の製造に、好ましく適用することができる。
【図面の簡単な説明】
【００５１】
【図１】光記録媒体の構成例を示す図である。
【図２】光記録媒体基板を成形する成形金型の構成例を示す図である。
【図３】本発明に係る実施形態の光記録媒体基板取出機の構造と、この取出機を用いた光記録媒体基板の取出方法を示す図である。
【図４】従来の光記録媒体基板取出機の構造と、この取出機を用いた光記録媒体基板の取出方法を示す図である。
【符号の説明】
【００５２】
１  光記録媒体
１１  光記録媒体基板
１１ｙ  光記録媒体基板の裏面（基板面）
２  射出成形金型
２０  固定型
３０  可動型
３３  イジェクタ（基板押出部材）
３４ａ  ガス吹付口
４０  樹脂成形空間部
３  光記録媒体基板取出機
５１  吸着部材
５２  伸縮部材（接触圧緩和機構）
５３  支持部材
【図１】
2006139823.tif 000003
【図２】
2006139823.tif 000004
【図３】
2006139823.tif 000005
【図４】
2006139823.tif 000006